(57)【要約】【課題】構造を単純化して電子制御による誤作動を防止できるノズル式真空包装機を提供する。【解決手段】包装材の内部が外部空気から遮断されるように、包装材に熱接触可能に備えられるヒーターと、包装材の内部の空気を吸いこむように吸入ノズルが備えられる吸入装置と、板状の支持面とヒーターに対応するように形成される前面パネルで構成されるプレートと、プレートの支持面上に配置され、吸入装置が上面から前面パネルの端部側に摺動自在に載せられるように備えられるボックス構造体と、支持面上に支持されて回転自在に設けられる回転軸と、回転軸上に固定結合され、回転軸とともに回転する第１カムと、回転軸上に固定結合され、回転軸とともに回転する第２カムと、第１カムの円周面に接触され、ヒーターを上下回動させる第１コネクタと、第２カムの円周面に接触され、吸入装置の吸入ノズルを前後往復させる第２コネクタと、を含むノズル式真空包装機を提供する。  これにより、回転軸に設けられる複数のカムを利用した機構的原理によってヒーターと吸入装置とが時差を置いて連動されることで、構造が単純化され、制御が簡単になり、生産コストを節減することができる。  また、従来のヒーター及び吸入装置の別途の電子制御による誤作動を防止することができる。【選択図】図１
2009538258.tif 000002
【特許請求の範囲】
【請求項１】
包装材の内部が外部空気から遮断されるように、前記包装材に熱接触可能に備えられるヒーターと、
前記包装材の内部の空気を吸いこむように吸入ノズルが備えられる吸入装置と、
板状の支持面と前記ヒーターに対応するように形成される前面パネルで構成されるプレートと、
前記プレートの支持面上に配置され、前記吸入装置が上面から前記前面パネルの端部側に摺動自在に載せられるように備えられるボックス構造体と、
前記支持面上に支持されて回転自在に設けられる回転軸と、
前記回転軸上に固定結合され、前記回転軸とともに回転する第１カムと、
前記回転軸上に固定結合され、前記回転軸とともに回転する第２カムと、
前記第１カムの円周面に接触され、前記ヒーターを上下回動させる第１コネクタと、
前記第２カムの円周面に接触され、前記吸入装置の吸入ノズルを前後往復させる第２コネクタと、を含むことを特徴とするノズル式真空包装機。
【請求項２】
前記第１カムは、
中心から半径ｄを有する上昇部と、前記上昇部の半径ｄよりさらに大きい半径ｄ´を有するように形成される１次下降部と、前記１次下降部の半径ｄ´よりさらに大きい半径ｄ´´を有するように形成される２次下降部とを含むことを特徴とする請求項１に記載のノズル式真空包装機。
【請求項３】
前記第２カムは、
中心から半径Ｄを有する前進部と、前記前進部の半径Ｄよりさらに大きい半径Ｄ´を有するように形成される後進部とを含むことを特徴とする請求項１または２に記載のノズル式真空包装機。
【請求項４】
前記第１コネクタは、
前記プレートの支持面上に回動支持される二つの傾斜バーからなり、前記バーの一端が前記ヒーターに固設され、前記バーの他端が連結棒で連結されることを特徴とする請求項１に記載のノズル式真空包装機。
【請求項５】
前記第１コネクタは、
前記連結棒が、前記支持面上で弾性支持されるように一端が支持面上に固定され、他端が、前記連結棒上に固定される弾性バネを含むことを特徴とする請求項４に記載のノズル式真空包装機。
【請求項６】
前記第１コネクタは、
前記第１カムの円周面に対応するように、前記一側のバー上に設けられてローリング接触されるベアリングを含むことを特徴とする請求項５に記載のノズル式真空包装機。
【請求項７】
前記第２コネクタは、
所定の角度で傾斜したバーからなり、前記バーの回転中心部が、前記ボックス構造体の一側面に係止されて回動支持されることを特徴とする請求項１または６に記載のノズル式真空包装機。
【請求項８】
前記第２コネクタは、
前記吸入装置の一側に突出した固定ピン上に拘束され、回動可能に一側に長めに穿孔された移動溝が形成され、前記第２カムの円周面に対応してローリング接触されるように他側にベアリングが備えられていることを特徴とする請求項７に記載のノズル式真空包装機。
【請求項９】
前記第２コネクタは、
前記第２コネクタの一側が、前記ボックス構造体上で弾性支持されるように一端がボックス構造体上に固定され、他端が、前記第２コネクタの一側上に固定される弾性バネを含むことを特徴とする請求項８に記載のノズル式真空包装機。
【請求項１０】
前記吸入ノズルは、
入口側が平たく形成され、前記前面パネルの端部側に下向きに傾斜して位置するように、前記吸入装置に所定の角度で傾斜して結合されることを特徴とする請求項１に記載のノズル式真空包装機。
【発明の詳細な説明】
【技術分野】
【０００１】
本発明は、ノズル式真空包装機に関し、特に、構造を単純化して電子制御による誤作動を防止できるノズル式真空包装機に関する。
【背景技術】
【０００２】
一般的に、従来のノズル式真空包装機は、包装材の内部を真空処理するに当たって、多数の空圧シリンダーによって電子制御式で個別作動するヒーターと吸入装置とを含んでなる。
【０００３】
これにより、従来のノズル式真空包装機は、構造が多少複雑になり、かつ制御が複雑になる問題がある。
【０００４】
さらに、前記吸入装置の吸入過程とヒーターのヒーティング過程とが電子制御エラーで重なる場合、作動事故の発生可能性が常在するという問題がある。
【発明の開示】
【発明が解決しようとする課題】
【０００５】
本発明は、前記問題点を勘案して案出されたものであって、構造を単純化し、制御が簡単で電子制御による誤作動を防止することをその目的とする。
【課題を解決するための手段】
【０００６】
上述した目的を達成するため、本発明は、包装材の内部が外部空気から遮断されるように、前記包装材に熱接触可能に備えられるヒーターと、前記包装材の内部の空気を吸いこむように吸入ノズルが備えられる吸入装置と、板状の支持面と前記ヒーターに対応するように形成される前面パネルで構成されるプレートと、前記プレートの支持面上に配置され、前記吸入装置が上面から前記前面パネルの端部側に摺動自在に載せられるように備えられるボックス構造体と、前記支持面上に支持されて回転自在に設けられる回転軸と、前記回転軸上に固定結合され、前記回転軸とともに回転する第１カムと、前記回転軸上に固定結合され、前記回転軸とともに回転する第２カムと、前記第１カムの円周面に接触され、前記ヒーターを上下回動させる第１コネクタと、前記第２カムの円周面に接触され、前記吸入装置の吸入ノズルを前後往復させる第２コネクタと、を含むノズル式真空包装機を提供する。
【発明の効果】
【０００７】
本発明によれば、回転軸に設けられる複数のカムを利用した機構的原理によって、ヒーターと吸入装置とが時差を置いて連動されることで、構造が単純化され、制御が簡単になり、かつ生産コストを低下させることができる。
また、従来のヒーター及び吸入装置の別途の電子制御による誤作動を防止することができる。
【発明を実施するための最良の形態】
【０００８】
以下、添付した図面を参照して、本発明の一実施形態によるノズル式真空包装機１００について詳細に説明する。
【０００９】
図１は、本発明の一実施形態によるノズル式真空包装機を表わした斜視図であり、図２は、図１の第１カムを表わした平面図であり、図３は、図１の第２カムを表わした平面図であり、図４ないし図７は、本発明の一実施形態によるノズル式真空包装機の順次動作状態を表わした側面図であって、図４は、動作前の要部状態を表わした側面図であり、図５は、図４の状態に引き続く動作として第２コネクタの回動による吸入装置の前進状態を表わした側面図であり、図６は、図５の状態に引き続く動作として第１コネクタの回動によるヒーターの１次下降状態を表わした側面図であり、図７は、図６の状態に引き続く動作として第２コネクタの回動による吸入装置の後進状態及び第１コネクタの回動によるヒーターの２次下降状態を表わした側面図である。
【００１０】
図１に示すように、本発明のノズル式真空包装機１００は、包装材１０５の入口部を挟んで後述する弾性部材Ｓの上端と熱接触することで、前記包装材１０５の内部を外部空気から遮断させるように備えられるヒーターＨと、前記包装材１０５の内部の空気を吸いこむように吸入ノズルＮを備えた吸入装置Ｉと、板状の支持面１１１が備えられ、前記包装材１０５が載せられるように前記支持面１１１から突出した前面パネル１１２が形成されたプレート１１０と、前記プレート１１０の支持面１１１上に配置され、前記吸入装置Ｉが上面から前記前面パネル１１２の端部の前後側に摺動自在に載せられるように備えられるボックス構造体１１５と、前記支持面１１１上に配置され、供給される電源によって動力を発生させるモータ１２０と、前記支持面１１１上で一対の支持部材１３１によって支持され、前記モータ１２０に接続されて回転自在に設けられる回転軸１３０と、前記回転軸１３０上に固定結合され、前記回転軸１３０とともに回転する第１カム１４０と、前記回転軸１３０上に固定結合され、前記回転軸１３０とともに回転する第２カム１５０と、前記第１カム１４０の円周面に接触され、前記ヒーターＨを上下回動させる第１コネクタ１６０と、前記第２カム１５０の円周面に接触され、前記吸入装置Ｉの吸入ノズルＮを前後往復させる第２コネクタ１７０とを有している。
【００１１】
前記吸入装置Ｉは、下端が、前記ボックス構造体１１５の上端で摺動自在とされ、前記吸入ノズルＮがスライディング方向の前側に配置されるように設けられる。
【００１２】
この場合、前記吸入ノズルＮは、入口側が平たく形成され、図５及び図６に示すように、前記前面パネル１１２の端部上に下向きに傾斜して位置するように、前記吸入装置Ｉ上に所定の角度で傾斜するように結合されることが望ましい。これは後述するヒーターＨの１次下降時、前記ヒーターＨによって前記前面パネル１１２上でさらに緊密に押さえられた状態になるようにすることである。
【００１３】
そして、前記吸入ノズルＮは、前記吸入装置Ｉが前進した状態で、図６に示すように、後述する弾性部材Ｓの前側にさらに進むように形成されることが前記包装材１０５の挿入をさらに容易にできる。
【００１４】
また、前記吸入装置Ｉは、一側に突出した固定ピンＰを備え、前記固定ピンＰが、後述する第２コネクタ１７０の移動溝１７０ａに挿入され、その移動溝１７０ａ内で拘束された状態で進退可能となる。
【００１５】
前記プレート１１０の前面パネル１１２の端部には、前記ヒーターＨによって包装材１０５が弾力的に圧着可能に公知された弾性部材Ｓが載置されることは勿論である。
【００１６】
前記第１カム１４０は、図２に示すように、大別すると３部分に区分される。
【００１７】
すなわち、前記第１カム１４０は、中心Ｏから半径ｄを有する上昇部Ａと、前記上昇部Ａの半径ｄよりさらに大きい半径ｄ´を有する１次下降部Ｃと、前記１次下降部Ｃの半径ｄ´よりさらに大きい半径ｄ´´を有する２次下降部Ｂとを成すように形成される。
【００１８】
この際、前記第１カム１４０は、後述するバー１６１、１６２の回動安定性を図るように所定の間隔で離隔して一対に備えられることが望ましい。
【００１９】
前記第２カム１５０は、図３に示すように、大別すると２部分に区分される。
【００２０】
すなわち、前記第２カム１５０は、中心Ｏから半径Ｄを有する前進部Ｅと、前記前進部Ｅの半径Ｄよりさらに大きい半径Ｄ´を有する後進部Ｆとを成すように形成される。
【００２１】
前記第１コネクタ１６０は、前記一対の支持部材１３１上にそれぞれ設けられている回動軸１３２に回動支持される二つの傾斜バー（Ｂａｒ）１６１、１６２からなり、前記バー１６１、１６２の一端が、それぞれ前記ヒーターＨに固設され、前記バー１６１、１６２の他端が、それぞれ連結棒１６３で連結されて支持されるように構成される。
【００２２】
この場合、前記連結棒１６３には、一端が、支持面１１１の側部１１１ａに固定され、他端が、前記連結棒１６３の中間部分に固定される弾性バネ１６４が設けられ、前記第１コネクタ１６０が、前記支持面１１１の側部１１１ａ上で弾性支持される。
【００２３】
また、前記第１コネクタ１６０は、前記バー１６１、１６２上にそれぞれ設けられ、前記一対の第１カム１４０の円周面にローリング（転動）接触される一対のベアリング１６５を含む。
【００２４】
前記第２コネクタ１７０は、所定の角度で傾いたバーからなり、回転中心部１７１が、前記ボックス構造体１１５の一側面に係止されて回動支持されるように形成される。
【００２５】
特に、前記第２コネクタ１７０は、前記吸入装置Ｉの一側に突出した固定ピンＰ上に拘束され、回動可能に一側に長めに穿孔された移動溝１７０ａが形成され、前記第２カム１５０の円周面に対応してローリング接触されるように他側にベアリング１７２が備えられてなる。
【００２６】
また、前記第２コネクタ１７０には、一端が、ボックス構造体１１５上に固定され、他端が、前記第２コネクタ１７０の一側上に固定される弾性バネ１７３が設けられ、前記第２コネクタ１７０が、前記ボックス構造体１１５上で弾性支持される。
【００２７】
上述した構成を有する本発明のノズル式真空包装機１００は、次のように動作する。
【００２８】
図４に示すように、本発明のノズル式真空包装機１００の動作前の状態は、第１カム１４０の円周面をローリング接触する第１コネクタ１６０のベアリング１６５が第１カム１４０の上昇部Ａと接し、ヒーターＨがプレート１１０の前面パネル１１２から上側に離隔した状態であり、第２カム１５０の円周面をローリング接触する第２コネクタ１７０のベアリング１７２が第２カム１５０の後進部Ｆに接し、吸入装置Ｉの吸入ノズルＮがプレート１１０の前面パネル１１２で右側に離隔した状態である。
【００２９】
この状態でモータ１２０に電源が供給されると、図５に示すように、回転軸１３０が反時計回りに回転し、同時に第１、第２カム１４０、１５０が回転する。従って、第１コネクタ１６０のベアリング１６５は、前記第１カム１４０の円周面にローリング接触しながら１次下降部Ｃの方向に移動するが、依然として上昇部Ａ上に接するようになって、第１コネクタ１６０は定常的にプレート１１０の前面パネル１１２から上側に離隔した状態であり、第２コネクタ１７０のベアリング１７２は、第２カム１５０の円周面にローリング接触され、前進部Ｅに接するようになって第２コネクタ１７０が回転中心部１７１を基準として反時計回りに回動する。
【００３０】
第２コネクタ１７０の回動と同時に、吸入装置Ｉの固定ピンＰが第２コネクタ１７０の移動溝１７０ａに沿って下側から上側に滑るようにスライディングされ、前記吸入装置Ｉが、前進（図面の左側方向）移動することで、吸入ノズルＮが弾性部材Ｓの上端に位置することとなり、その次に吸入ノズルＮに包装材１０５の挿入が行われる。
【００３１】
次に、図６に示すように、ヒーターＨが１次下降する。１次下降動作は第１コネクタ１６０のベアリング１６５が、第１カムの１次下降部Ｃと接した状態で、上昇部Ａと１次下降部Ｃの直径差に応じて上向き回動し、回動軸１３２を基準に第１コネクタ１６０の右側が持ち上げられ、反対に左側が下降することで行われる。
【００３２】
このように、ヒーターＨが、弾性部材Ｓの上端に１次下降し、吸入ノズルＮ及び包装材Ｓの入口側がヒーターＨによって一定圧力で押された状態になると、吸入装置Ｉは、吸入ノズルＮを通じて包装材１０５の内部の空気を吸いこんで内部を真空状態にする。
【００３３】
最後に、包装材１０５の内部が真空状態となった時点で、図７に示すように、吸入装置Ｉが右側に移動し、ヒーターＨが２次下降をして弾性部材Ｓの上端と熱接触することで、包装材１０５の内部を真空状態に密閉する。
【００３４】
すなわち、第１コネクタ１６０のベアリング１６５が第１カムの２次下降部Ｂ上に接し、第２コネクタ１７０のベアリング１７２が第２カム１５０の後進部Ｆに接することにより、第２コネクタ１７０が第１コネクタ１６０と時差を置いて先に回動する。
【００３５】
これにより、第２コネクタ１７０が、第１コネクタ１６０の反時計回りに回動に先立って時計回りに回動することで、吸入装置ＩがヒーターＨの押圧から右側に後進して吸入ノズルＮが強制に抜け出た後、ヒーターＨの２次下降が行われる。
【００３６】
このように、ヒーターＨの２次下降がなされて弾性部材Ｓの上端との熱接触状態が所定時間持続されると、包装材１０５の真空処理が完了する。
【００３７】
上述した一連の過程を経て包装材１０５の真空処理が完了すると、ヒーターＨが図４に示すように、上側に離隔した状態に戻って包装材１０５を吸入ノズルＮから取り出すことができ、再び図５ないし図７に示す一連の過程を順次に繰り返すことで自動化がなされうる。
【００３８】
以上、本発明の一実施形態によるノズル式真空包装機は、前記包装材１０５の内部を真空処理することを一例として説明したが、吸入装置Ｈを通じてガスを注入することで包装材１０５の内部のガス充填にも利用できることは勿論である。
【００３９】
また、本発明のノズル式真空包装機１００は、電源供給装置であるモータ１２０が備えられず、ユーザーが直接回転軸１３０を回転させて前記メカニズムのように駆動可能であるところ、手動でも包装材１０５の真空処理が可能になる。
【産業上の利用可能性】
【００４０】
本発明は、ノズル式真空包装機関連の技術分野に適用可能である。
【図面の簡単な説明】
【００４１】
【図１】本発明の一実施形態によるノズル式真空包装機を表わした斜視図である。
【図２】図１の第１カムを表わした平面図である。
【図３】図１の第２カムを表わした平面図である。
【図４】本発明の一実施形態によるノズル式真空包装機の順次動作状態を表わした側面図であって、動作前の要部状態を表す。
【図５】本発明の一実施形態によるノズル式真空包装機の順次動作状態を表わした側面図であって、４の状態に引き続く動作として第２コネクタの回動による吸入装置の前進状態を表す。
【図６】本発明の一実施形態によるノズル式真空包装機の順次動作状態を表わした側面図であって、図５の状態に引き続く動作として第１コネクタの回動によるヒーターの１次下降状態を表す。
【図７】本発明の一実施形態によるノズル式真空包装機の順次動作状態を表わした側面図であって、、図６の状態に引き続く動作として第２コネクタの回動による吸入装置の後進状態及び第１コネクタの回動によるヒーターの２次下降状態を表す。
【符号の説明】
【００４２】
１００：ノズル式真空包装機          １１０：プレート
１１５：ボックス構造体              １２０：モータ
１３０：回転軸                      １３１：支持部材
１４０：第１カム                    １５０：第２カム
１６０：第１コネクタ                １６３：連結棒
１６４、１７３：弾性バネ            １６５、１７２：ベアリング
１７０：第２コネクタ                １７０ａ：移動溝
１７１：回転中心部                  Ｈ：ヒーター
Ｉ：吸入装置                        Ｎ：吸入ノズル
Ｓ：弾性部材                        Ｐ：固定ピン
【図１】
2009538258.tif 000003
【図２】
2009538258.tif 000004
【図３】
2009538258.tif 000005
【図４】
2009538258.tif 000006
【図５】
2009538258.tif 000007
【図６】
2009538258.tif 000008
【図７】
2009538258.tif 000009
【国際調査報告】
2009538258.tif 000010
2009538258.tif 000011